(57)【要約】【課題】スペースをとることなく、安価かつ簡易な構成で、容易にブラケットをケースから開く。【解決手段】ブラケット１にケース３側から開放側に向かって設けられ、当該ケース３側に支点１０４１ａを有し、当該支点１０４１ａを中心に回動可能な回動部材１０４１と、回動部材１０４１の開放側に設けられ、当該回動部材１０４１を回動させるための取っ手１０４２と、回動部材１０４１のケース３側に設けられ、当該回動部材１０４１が回動されることで当該ケース３側に突没する爪部１０４３とを備えた。【選択図】図４
2014241037.tif 000002
【特許請求の範囲】
【請求項１】
磁性体部材からなるケースに当接することで吸着するマグネットを有し重量物を搭載可能なブラケットを、当該ケースから開く開放機構であって、
前記ブラケットに前記ケース側から開放側に向かって設けられ、当該ケース側に支点を有し、当該支点を中心に回動可能な回動部材と、
前記回動部材の前記開放側に設けられ、当該回動部材を回動させるための取っ手と、
前記回動部材の前記ケース側に設けられ、当該回動部材が回動されることで当該ケース側に突没する爪部と
を備えたことを特徴とする開放機構。
【請求項２】
前記ブラケットに設けられ、前記爪部と前記ケースとの間に配置された板バネを備えた
ことを特徴とする請求項１記載の開放機構。
【請求項３】
前記板バネは、前記爪部による押圧力に応じて、前記ケースへの押圧力及び当該爪部への反力を発生するよう折り曲げられた
ことを特徴とする請求項２記載の開放機構。
【発明の詳細な説明】
【技術分野】
【０００１】
この発明は、磁性体部材からなるケースに当接することで吸着するマグネットを有し重量物を搭載可能なブラケットを、当該ケースから開く開放機構に関するものである。
【背景技術】
【０００２】
従来から、ＰＣを設置する際に奥行をできるだけ小さくしたい場合、ＰＣを横向きに設置している。この場合、ＰＣに設けられている電源スイッチやＣＤなどの補助記憶装置、ＵＳＢポートなどは横面になってしまうため、アクセスする際にＰＣを手前に可動させる必要がある。一方、ＰＣの内部にはＨＤＤといった振動に弱いデバイスが搭載されているため、通常時には固定することが望ましい。そこで、ＰＣを搭載可能なブラケットを設け、当該ブラケットをヒンジを介して固定側（ケース）に連結し、扉のように手前に移動可能な構造を用いている。そして、通常時には、ねじ止めや、弱いマグネット及びカバーを用いてブラケットをケースに固定している。
【０００３】
ここで、固定を確実にするためには、ねじ止めを行うかマグネットを強力にする必要がある。しかしながら、この場合、ブラケットを開く際にねじを取り外す、または大きな力が必要となり、使い勝手が悪くなる。また、強力なマグネットを用いた場合には、無理にブラケットを引くことでＰＣに衝撃を与えてしまう恐れもある。
【０００４】
それに対して、例えば特許文献１に開示されるような扉開閉機構が知られている。この扉開閉機構では、制御盤などの扉を開閉するために、本体側の磁石と扉側の磁石とを相対移動可能に設けている。そして、異極同士を対面させることより扉を吸着状態に保持する閉塞作用位置と、同極同士を対面させることにより扉を反発状態とする開放作用位置との間で、両磁石を切り替え手段により切替える。これにより、容易に本体側に対して扉を開閉可能とすることができる。
【先行技術文献】
【特許文献】
【０００５】
【特許文献１】特開平１１−１０７６０８号公報
【発明の概要】
【発明が解決しようとする課題】
【０００６】
しかしながら、特許文献１に開示されるような扉開閉機構では、本体側と扉側とにマグネットが２つ必要となり、スペースをとるという課題があった。また、扉の固定／解放は可能であるが、扉開閉操作のために、本体側の磁石の位置を切り替え可能とする切り替え手段が別途必要となるという課題がある。また、構造が複雑であり、組み立てコスト、部品コストが高いという課題がある。
【０００７】
この発明は、上記のような課題を解決するためになされたもので、スペースをとることなく、安価かつ簡易な構成で、容易にブラケットをケースから開くことができる開放機構を提供することを目的としている。
【課題を解決するための手段】
【０００８】
この発明に係る開放機構は、ブラケットにケース側から開放側に向かって設けられ、当該ケース側に支点を有し、当該支点を中心に回動可能な回動部材と、回動部材の開放側に設けられ、当該回動部材を回動させるための取っ手と、回動部材のケース側に設けられ、当該回動部材が回動されることで当該ケース側に突没する爪部とを備えたものである。
【発明の効果】
【０００９】
この発明によれば、上記のように構成したので、スペースをとることなく、安価かつ簡易な構成で、容易にブラケットをケースから開くことができる。
【図面の簡単な説明】
【００１０】
【図１】この発明の実施の形態１に係る開放機構が適用されたブラケットの構成を示す斜視図である。
【図２】この発明の実施の形態１に係る開放機構が適用されたブラケットへのＰＣの搭載を説明する斜視図であり、（ａ）ＰＣを搭載する際の動作を示す図であり、（ｂ）ＰＣ搭載後の状態を示す図である。
【図３】この発明の実施の形態１に係る開放機構が適用されたブラケットの構成を示す底面側から見た斜視図である。
【図４】この発明の実施の形態１に係る開放機構の動作を説明するブラケット底面図であり、（ａ）固定時の状態を示す図であり、（ｂ）ブラケットを開く際の状態を示す図である。
【図５】この発明の実施の形態１に係る開放機構の動作を説明する図であり、（ａ）固定時の状態を示す図であり、（ｂ）ブラケットを開く際の状態を示す図である。
【図６】この発明の実施の形態２に係る開放機構が適用されたブラケットの構成を示す底面側から見た斜視図である。
【図７】この発明の実施の形態２に係る開放機構の構成・動作を説明する図であり、（ａ）固定時の状態を示す図であり、（ｂ）ブラケットを開く際の状態を示す図である。
【図８】この発明の実施の形態３に係る開放機構の構成・動作を説明する図であり、（ａ）固定時の状態を示す図であり、（ｂ）ブラケットを開く際の状態を示す図である。
【発明を実施するための形態】
【００１１】
以下、この発明の実施の形態について図面を参照しながら詳細に説明する。
実施の形態１．
図１はこの発明の実施の形態１に係る開放機構１０４が適用されたブラケット１の構成を示す斜視図であり、図２はブラケット１へのＰＣ２の搭載を説明する斜視図であり、図３はブラケット１の構成を示す底面側から見た斜視図である。なお図１，３ではケース３部分を省略している。
ブラケット１は、図１〜３に示すように、ＰＣ２等の重量物を搭載し、ケース３から開閉可能とするものである。このブラケット１は、ＰＣ２を搭載可能とする搭載部１０１を有している。また、ブラケット１の背面側はヒンジ機構１０２を介してケース３に取り付けられており、開閉可能に構成されている。また、ブラケット１の底面には、ケース３に当接することで吸着し、ブラケット１をケース３に固定するマグネット１０３が設けられている。
【００１２】
そして、ブラケット１には、マグネット１０３による固定を解除して、ブラケット１をケース３から開くための開放機構１０４が設けられている。以下、開放機構１０４の構成について、図３，４を参照しながら説明する。なお図３に示すブラケット１において、奥側がケース３側であり、手前側が開放側である。
【００１３】
図３，４に示すように、ブラケット１の底面には、ブラケット１のケース３側から開放側に向かって設けられた板部材である回動部材１０４１が設けられている。この回動部材１０４１は、ケース３側に支点１０４１ａを有し、当該支点１０４１ａを中心に回動可能に構成されている。また、回動部材１０４１には、開放側に、当該回動部材１０４１を回動させるための取っ手１０４２が設けられている。また、回動部材１０４１には、ケース３側に、当該回動部材１０４１が回動されることで当該ケース３側に突没する爪部１０４３が設けられている。
【００１４】
また、ブラケット１の底面及び回動部材１０４１には、回動部材１０４１の回動量を規制するカム機構１０４４（カム溝１０４５及びピン１０４６）が設けられている。
【００１５】
次に、上記のように構成されたマグネット解除機構１０４の動作について、図４，５を参照しながら説明する。
ブラケット１がケース３に固定されている状態においては、図４（ａ），５（ａ）に示すように、回動部材１０４１は閉じた状態となっている。そのため、爪部１０４３はブラケット１側に没入した状態となっている。
【００１６】
一方、ブラケット１を開く場合には、使用者が取っ手１０４２を手前に引くことで、回動部材１０４１は支点１０４１ａを中心に開方向に回動する。これにより、図４（ｂ），５（ｂ）に示すように、爪部１０４３がケース３側に突出してケース３を押す。そして、この押圧力により、マグネット１０３とケース３との吸着を解除し、ブラケット１をケース３から開く。この際、取っ手１０４２が力点となり、爪部１０４３が作用点となり、当該爪部１０４３が支点１０４１ａを中心にてこの原理により動作する。そのため、ＰＣ２等の重量物を固定するために強力なマグネット１０３を用いた場合であっても、取っ手１０４２を引く際に大きな力を加えることなく、容易にマグネット１０３による固定を解除できブラケット１をケース３から開くことができる。なお、ブラケット１を閉じた際には、爪部１０４３は、ケース３に当接することでブラケット１側に没入し、元の位置に戻る。
【００１７】
以上のように、この実施の形態１によれば、ブラケット１にケース３側から開放側に向かって設けられ、当該ケース３側に支点１０４１ａを有し、当該支点１０４１ａを中心に回動可能な回動部材１０４１と、回動部材１０４１の開放側に設けられ、当該回動部材１０４１を回動させるための取っ手１０４２と、回動部材１０４１のケース３側に設けられ、当該回動部材１０４１が回動されることで当該ケース３側に突没する爪部１０４３とを備えたので、スペースをとることなく、安価かつ簡易な構成で、容易にマグネット１０３による固定を解除できブラケット１をケース３から開くことができる。
【００１８】
実施の形態２．
実施の形態１では、爪部１０４３をケース３に直接当接させることで、マグネット１０３による固定を解除してブラケット１をケース３から開く場合について示した。それに対して、実施の形態２では、爪部１０４３とケース３との間に板バネ１０４７を挟んだ構成について示す。
図６はこの発明の実施の形態２に係る開放機構１０４が適用されたブラケット１の構成を示す底面側から見た斜視図であり、図７は開放機構１０４の構成・動作を説明する図である。図６，７に示す実施の形態２に係る開放機構１０４は、実施の形態１に係る開放機構１０４に板バネ１０４７を追加したものである。その他の構成は同様であり、その説明を省略する。
【００１９】
板バネ１０４７は、ブラケット１に設けられ、爪部１０４３とケース３との間に配置されたものである。また、板バネ１０４７の先端は、爪部１０４３がブラケット１から突出した際に当該爪部１０４３を囲うように、爪部１０４３側に折れ曲っている。この場合、爪部１０４３は板バネ１０４７を介してケース３を押すことになるため、爪部１０４３によるケース３の削れを防止することができる。また、爪部１０４３が板バネ１０４７を押した際に、板バネ１０４７からの反力が爪部１０４３に加えられるため、この反力により回動部材１０４１を元の位置に戻すことができる。
【００２０】
以上のように、この実施の形態２によれば、爪部１０４３とケース３との間に配置した板バネ１０４７を用いるように構成したので、実施の形態１における効果に加え、さらなる省スペース化を図れるとともに、爪部１０４３によるケース３の削れを防止することができる。
【００２１】
実施の形態３．
実施の形態３では、実施の形態２の板バネ１０４７をくの字に折り曲げた構成について示す。
図８はこの発明の実施の形態３に係る開放機構１０４の構成・動作を説明する図である。図８に示す実施の形態３に係る開放機構１０４は、実施の形態２における板バネ１０４７を板バネ１０４７ｂに変更したものである。その他の構成は同様であり、その説明を省略する。
【００２２】
板バネ１０４７ｂは、ブラケット１に設けられ、爪部１０４３による押圧力に応じて、ケース３への押圧力及び当該爪部１０４３への反力を発生するようくの字に折り曲げられ、爪部１０４３とケース３との間に配置されたものである。このくの字の板バネ１０４７ｂを用いることで、爪部１０４３が板バネ１０４７ｂを介してケース３を押す際に板バネ１０４７ｂにて力を補助することができる。また、爪部１０４３が板バネ１０４７ｂを押した際に、板バネ１０４７ｂからの反力が爪部１０４３に加えられるため、この反力により回動部材１０４１を元の位置に戻すことができる。
【００２３】
以上のように、この実施の形態３によれば、板バネ１０４７に代えて、爪部１０４３による押圧力に応じて、ケース３への押圧力及び当該爪部１０４３への反力を発生するよう折り曲げられた板バネ１０４７ｂを用いるように構成したので、実施の形態２における効果に加え、爪部１０４３による押圧力に応じて、板バネ１０４７に爪部１０４３に対する反力を発生させるとともに、ケース３をはじく力も同時に発生させることができる。よって、小さな力で瞬間的にブラケット１をケース３から開くことができ、ＰＣ２等の重量物に衝撃を与えずに容易にブラケット１を開くことができる。
【００２４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２５】
１  ブラケット
２  ＰＣ
３  ケース
１０１  搭載部
１０２  ヒンジ機構
１０３  マグネット
１０４  開放機構
１０４１  回動部材
１０４１ａ  支点
１０４２  取っ手
１０４３  爪部
１０４４  カム機構
１０４５  カム溝
１０４６  ピン
１０４７，１０４７ｂ  板バネ
【図１】
2014241037.tif 000003
【図２】
2014241037.tif 000004
【図３】
2014241037.tif 000005
【図４】
2014241037.tif 000006
【図５】
2014241037.tif 000007
【図６】
2014241037.tif 000008
【図７】
2014241037.tif 000009
【図８】
2014241037.tif 000010